(57)【要約】      （修正有）【課題】冬季の乾燥期に自分の身体に帯電した静電気が、他の物に手が触れた時に放電して、恐怖心と不快感があったため、静電気を地面に放電させる、ヒール靴を提供する。【解決手段】冬季の乾燥期に自分の身体に帯電した静電気を地面に放電させる為、人体のかかとが接する中敷き５に金属伝導体１を取付けて、それをヒール部材２の中に埋め込んだ伝導性補強軸芯パイプ３の上部に取付け、同パイプ３の下部に伝導性の有るかかとゴム４の伝導性軸足８を挿し込み取付け、地面に接地、放電させる様にした。【選択図】図７
0003209142.tif 000002
【実用新案登録請求の範囲】
【請求項１】
［図１］［図２］［図３］に示した様に静電気を接地地面に放電出来る様に伝導性を持たせた、かかとゴムの構造であって▲８▼伝導性軸足の下部に▲１▼金属伝導体、又は、▲１０▼伝導性ゴム、又は、▲１１▼伝導性高分子（伝導性プラスチック）を地面に接地させる様に取付け、その周囲を▲９▼高耐久性ゴムで成型して静電気を地面に放電させる事を特徴とする、かかとゴムの構造。
【請求項２】
［図４］に示した様に人体に帯電する静電気をヒール部分を利用して接地地面に放電させる為のローヒール靴の構造であって、人体のかかとが接する▲５▼中敷き部分に▲１▼金属伝導体を取付け、そこから▲７▼金属伝導線を▲８▼伝導性軸足に接続して▲２▼ヒール部材の下部に伝導性の有る▲４▼かかとゴムの▲８▼伝導性軸足を挿し込み取付ける事に依り接地地面に放電させる事を特徴とするローヒール靴の構造。
【請求項３】
［図５］に示した様に人体に帯電する静電気をヒール部分を利用して接地地面に放電させる為のローヒール靴の構造であって、人体のかかとが接する▲５▼中敷きと伝導性高分子（伝導性プラスチック）又は、伝導性軽合金で成型した伝導性の有る▲２▼ヒール部材を▲１▼金属伝導体で緊結して、その▲２▼ヒール部材の下部に伝導性の有る▲４▼かかとゴムの▲８▼伝導性軸足を挿し込み取付ける事に依り接地地面に放電させる事を特徴とするローヒール靴の構造。
【請求項４】
［図６］に示した様に人体に帯電する静電気をヒール部分を利用して接地地面に放電させる為のローヒール靴の構造であって、人体のかかとが接する▲５▼中敷きに▲１▼金属伝導体を取付け、それを▲２▼ヒール部材の中に埋め込んだ▲３▼伝導性補強軸芯パイプの上部に取付け、同パイプの下部に伝導性の有る▲４▼かかとゴムの▲８▼伝導性軸足を挿し込み取付ける事に依り接地地面に放電させる事を特徴とするローヒール靴の構造。
【請求項５】
［図７］に示した様に人体に帯電する静電気をヒール部分を利用して接地地面に放電させる為のハイヒール靴の構造であって、人体のかかとが接する▲５▼中敷きに▲１▼金属伝導体を取付けそれを▲２▼ヒール部材の中に埋め込んだ▲３▼伝導性補強軸芯パイプの上部に取付け、同パイプの下部に伝導性の有る▲４▼かかとゴムの▲８▼伝導性軸足を挿し込み取付ける事に依り接地地面に放電させる事を特徴とするハイヒール靴の構造。
【請求項６】
［図８］に示した様に人体に帯電する静電気をヒール部分を利用して接地地面に放電させる為のハイヒール靴の構造であって、人体のかかとが接する▲５▼中敷きに▲１▼金属伝導体を取付けそこから▲７▼金属伝導線を▲８▼伝導性軸足に接続して▲２▼ヒール部材の下部に伝導性の有る▲４▼かかとゴムの▲８▼伝導性軸足を挿し込み取付ける事に依り接地地面に放電させる事を特徴とするハイヒール靴の構造。
【請求項７】
［図９］に示した様に人体に帯電する静電気をヒール部分を利用して接地地面に放電させる為のハイヒール靴の構造であって、人体のかかとが接する▲５▼中敷きと伝導性高分子（伝導性プラスチック）又は、伝導性軽合金で成型した伝導性の有る▲２▼ヒール部材を▲１▼金属伝導体で緊結して、その▲２▼ヒール部材の下部に伝導性の有る▲４▼かかとゴムの▲８▼伝導性軸足を挿し込み取付ける事に依り接地地面に放電させる事を特徴とするハイヒール靴の構造。
【考案の詳細な説明】
【技術分野】
【０００１】本考案は、冬季の乾燥期に人体に帯電した静電気をヒール靴のヒール部分に伝導性を持たせる事に依り接地地面に放電させる様にしたものである。
【背景技術】
【０００２】従来は、特別な場所での勤務者が履く静電気除去安全靴は、有ったが静電気を接地地面に放電させる仕様のヒール靴は、無かった。
【考案の開示】
【考案が解決しようとする課題】
【０００３】冬季の乾燥期に扉のノブ、車のドアー、他人の身体などに触れた時、自分の身体に帯電した静電気が放電（スパーク）して（バシッ、ビリビリ）と大変な恐怖心と不快な思いをしていた。
【課題を解決するための手段】
【０００４】冬季の乾燥期に自分の身体に帯電した静電気を地面に放電させる為、ヒール靴のヒール先端に取付ける伝導性を持たせた、かかとゴムを考案した、かかとゴムの構造は、［図１］［図２］［図３］に示した様に▲８▼伝導性軸足の下部に▲１▼金属伝導体、又は、▲１０▼伝導性ゴム、又は、▲１１▼伝導性高分子（伝導性プラスチック）を地面に接地させる様に取付け、その周囲を▲９▼高耐久性ゴムで成型して静電気を接地地面に放電させる様にした構造。【０００５】冬季の乾燥期に自分の身体に帯電した静電気を地面に放電させる為、［図４］に示した様に人体のかかとが接する▲５▼中敷き部分に▲１▼金属伝導体を取付け、そこから▲７▼金属伝道線を▲８▼伝導性軸足に接続して▲２▼ヒール部材の下部に伝導性の有る▲４▼かかとゴムの▲８▼伝導性軸足を挿し込み取付け地面に接地、放電させる様にした。【０００６】冬季の乾燥期に自分の身体に帯電した静電気を地面に放電させる為、［図５］に示した様に人体のかかとが接する▲５▼中敷きと、伝導性高分子（伝導性プラスチック）又は、伝導性軽合金で成型した伝導性の有る▲２▼ヒール部材を▲１▼金属伝導体で緊結して、その▲２▼ヒール部材の下部に伝導性の有る▲４▼かかとゴムの▲８▼伝導性軸足を挿し込み取付け地面に接地、放電させる様にした。【０００７】冬季の乾燥期に自分の身体に帯電した静電気を地面に放電させる為、［図６］に示した様に人体のかかとが接する▲５▼中敷きに▲１▼金属伝導体を取付けて、それを▲２▼ヒール部材の中に埋め込んだ▲３▼伝導性補強軸芯パイプの上部に取付け、同パイプの下部に伝導性の有る▲４▼かかとゴムの▲８▼伝導性軸足を挿し込み取付け地面に接地、放電させる様にした。【０００８】冬季の乾燥期に自分の身体に帯電した静電気を地面に放電させる為、［図７］に示した様に人体のかかとが接する▲５▼中敷きに▲１▼金属伝導体を取付けて、それを▲２▼ヒール部材の中に埋め込んだ▲３▼伝導性補強軸芯パイプの上部に取付け、同パイプの下部に伝導性の有る▲４▼かかとゴムの▲８▼伝導性軸足を挿し込み取付け地面に接地、放電させる様にした。【０００９】冬季の乾燥期に自分の身体に帯電した静電気を地面に放電させる為、［図８］に示した様に人体のかかとが接する▲５▼中敷きに▲１▼金属伝導体を取付けて、そこから▲７▼金属伝導線を▲８▼伝導性軸足に接続して▲２▼ヒール部材の下部に伝導性の有る▲４▼かかとゴムの▲８▼伝導性軸足を挿し込み取付け地面に接地、放電させる様にした。【００１０】冬季の乾燥期に自分の身体に帯電した静電気を地面に放電させる為、［図９］に示した様に人体のかかとが接する▲５▼中敷きと、伝導性高分子（伝導性プラスチック）又は、伝導性軽合金で成型した伝導性の有る▲２▼ヒール部材を▲１▼金属伝導体で緊結して、その▲２▼ヒール部材の下部に伝導性の有る▲４▼かかとゴムの▲８▼伝導性軸足を挿し込み取付け地面に接地、放電させる様にした。
【考案の効果】
【００１１】冬季の乾燥期に人体に帯電した静電気を伝導性を持たせたヒール靴を履く事に依り、たえず地面に静電気を放電させて、自分が他の物に触れた時に放電（スパーク）する恐怖心、不快感から解放される。
【図面の簡単な説明】
【００１２】
【図１】かかとゴムの正面より見た断面図である。
【図２】かかとゴムの側面より見た断面図である。
【図３】かかとゴムの底面の見上げ図である。
【図４】ヒール部材に非伝導性材料を使用した場合のローヒール靴の断面図である。
【図５】ヒール部材に伝導性材料を使用した場合のローヒール靴の断面図である。
【図６】ヒール部材に木、又は、合成ゴム、又は、皮積み成型材を使用した場合のローヒール靴の断面図である。
【図７】ヒール部材に木、又は、プラスチック、又は、非伝導性軽合金を使用した場合のハイヒール靴の断面図である。
【図８】ヒール部材にプラスチック、又は、非伝導性軽合金を使用した場合で、伝導性補強軸芯パイプを入れない場合のハイヒール靴の断面図である。
【図９】ヒール部材に伝導性材料を使用した場合のハイヒール靴の断面図である。
【符号の説明】
【００１３】▲１▼金属伝導体
▲２▼ヒール部材
▲３▼伝導性補強軸芯パイプ
▲４▼かかとゴム
▲５▼中敷き
▲６▼底板
▲７▼金属伝導線
▲８▼伝導性軸足
▲９▼高耐久性ゴム
▲１０▼伝導性ゴム
▲１１▼伝導性高分子（プラスチック）
【図１】
0003209142.tif 000003
【図２】
0003209142.tif 000004
【図３】
0003209142.tif 000005
【図４】
0003209142.tif 000006
【図５】
0003209142.tif 000007
【図６】
0003209142.tif 000008
【図７】
0003209142.tif 000009
【図８】
0003209142.tif 000010
【図９】
0003209142.tif 000011
【手続補正書】
【提出日】平成28年12月13日(2016.12.13)
【手続補正１】
【補正対象書類名】実用新案登録請求の範囲
【補正対象項目名】全文
【補正方法】変更
【補正の内容】
【実用新案登録請求の範囲】
【請求項１】
静電気を接地地面に放電出来る様に伝導性を持たせた、かかとゴムの構造であって（８）伝導性軸足の下部に（１）金属伝導体、又は、（１０）伝導性ゴム、又は、（１１）伝導性高分子（伝導性プラスチック）を地面に接地させる様に取付け、その周囲を（９）高耐久性ゴムで成型して静電気を地面に放電させる事を特徴とする、かかとゴムの構造。
【請求項２】
人体に帯電する静電気をヒール部分を利用して接地地面に放電させる為のローヒール靴の構造であって、人体のかかとが接する（５）中敷き部分に（１）金属伝導体を取付け、そこから（７）金属伝導線を（８）伝導性軸足に接続して（２）ヒール部材の下部に伝導性の有る（４）かかとゴムの（８）伝導性軸足を挿し込み取付ける事に依り接地地面に放電させる事を特徴とするローヒール靴の構造。
【請求項３】
人体に帯電する静電気をヒール部分を利用して接地地面に放電させる為のローヒール靴の構造であって、人体のかかとが接する（５）中敷きと伝導性高分子（伝導性プラスチック）又は、伝導性軽合金で成型した伝導性の有る（２）ヒール部材を（１）金属伝導体で緊結して、その（２）ヒール部材の下部に伝導性の有る（４）かかとゴムの（８）伝導性軸足を挿し込み取付ける事に依り接地地面に放電させる事を特徴とするローヒール靴の構造。
【請求項４】
人体に帯電する静電気をヒール部分を利用して接地地面に放電させる為のローヒール靴の構造であって、人体のかかとが接する（５）中敷きに（１）金属伝導体を取付け、それを（２）ヒール部材の中に埋め込んだ（３）伝導性補強軸芯パイプの上部に取付け、同パイプの下部に伝導性の有る（４）かかとゴムの（８）伝導性軸足を挿し込み取付ける事に依り接地地面に放電させる事を特徴とするローヒール靴の構造。
【請求項５】
人体に帯電する静電気をヒール部分を利用して接地地面に放電させる為のハイヒール靴の構造であって、人体のかかとが接する（５）中敷きに（１）金属伝導体を取付けそれを（２）ヒール部材の中に埋め込んだ（３）伝導性補強軸芯パイプの上部に取付け、同パイプの下部に伝導性の有る（４）かかとゴムの（８）伝導性軸足を挿し込み取付ける事に依り接地地面に放電させる事を特徴とするハイヒール靴の構造。
【請求項６】
人体に帯電する静電気をヒール部分を利用して接地地面に放電させる為のハイヒール靴の構造であって、人体のかかとが接する（５）中敷きに（１）金属伝導体を取付けそこから（７）金属伝導線を（８）伝導性軸足に接続して（２）ヒール部材の下部に伝導性の有る（４）かかとゴムの（８）伝導性軸足を挿し込み取付ける事に依り接地地面に放電させる事を特徴とするハイヒール靴の構造。
【請求項７】
人体に帯電する静電気をヒール部分を利用して接地地面に放電させる為のハイヒール靴の構造であって、人体のかかとが接する（５）中敷きと伝導性高分子（伝導性プラスチック）又は、伝導性軽合金で成型した伝導性のある（２）ヒール部材を（１）金属伝導体で緊結して、その（２）ヒール部材の下部に伝導性の有る（４）かかとゴムの（８）伝導性軸足を挿し込み取付ける事に依り接地地面に放電させる事を特徴とするハイヒール靴の構造。
【手続補正２】
【補正対象書類名】明細書
【補正対象項目名】全文
【補正方法】変更
【補正の内容】
【考案の詳細な説明】
【技術分野】
【０００１】本考案は、冬季の乾燥期に人体に帯電した静電気をヒール靴のヒール部分に伝導性を持たせる事に依り接地地面に放電させる様にしたものである。
【背景技術】
【０００２】従来は、特別な場所での勤務者が履く静電気除去安全靴は、有ったが静電気を接地地面に放電させる仕様のヒール靴は、無かった。
【考案の開示】
【考案が解決しようとする課題】
【０００３】冬季の乾燥期に扉のノブ、車のドアー、他人の身体などに触れた時、自分の身体に帯電した静電気が放電（スパーク）して（バシッ、ビリビリ）と大変な恐怖心と不快な思いをしていた。
【課題を解決するための手段】
【０００４】冬季の乾燥期に自分の身体に帯電した静電気を地面に放電させる為、ヒール靴のヒール先端に取付ける伝導性を持たせた、かかとゴムを考案した、かかとゴムの構造は、［図１］［図２］［図３］に示した様に（８）伝導性軸足の下部に（１）金属伝導体、又は、（１０）伝導性ゴム、又は、（１１）伝導性高分子（伝導性プラスチック）を地面に接地させる様に取付け、その周囲を（９）高耐久性ゴムで成型して静電気を接地地面に放電させる様にした構造。【０００５】冬季の乾燥期に自分の身体に帯電した静電気を地面に放電させる為、［図４］に示した様に人体のかかとが接する（５）中敷き部分に（１）金属伝導体を取付け、そこから（７）金属伝導線を（８）電導性軸足に接続して（２）ヒール部材の下部に伝導性の有る（４）かかとゴムの（８）伝導性軸足を挿し込み取付け地面に接地、放電させる様にした。【０００６】冬季の乾燥期に自分の身体に帯電した静電気を地面に放電させる為、［図５］に示した様に人体のかかとが接する（５）中敷きと、伝導性高分子（伝導性プラスチック）又は、伝導性軽合金で成型した伝導性の有る（２）ヒール部材を（１）金属伝導体で緊結して、その（２）ヒール部材の下部に伝導性の有る（４）かかとゴムの（８）伝導性軸足を挿し込み取付け地面に接地、放電させる様にした。【０００７】冬季の乾燥期に自分の身体に帯電した静電気を地面に放電させる為、［図６］に示した様に人体のかかとが接する（５）中敷きに（１）金属伝導体を取付けて、それを（２）ヒール部材の中に埋め込んだ（３）伝導性補強軸芯パイプの上部に取付け、同パイプの下部に伝導性の有る（４）かかとゴムの（８）伝導性軸足を挿し込み取付け地面に接地、放電させる様にした。【０００８】冬季の乾燥期に自分の身体に帯電した静電気を地面に放電させる為、［図７］に示した様に人体のかかとが接する（５）中敷きに（１）金属伝導体を取付けて、それを（２）ヒール部材の中に埋め込んだ（３）伝導性補強軸芯パイプの上部に取付け、同パイプの下部に伝導性の有る（４）かかとゴムの（８）伝導性軸足を挿し込み取付け地面に接地、放電させる様にした。【０００９】冬季の乾燥期に自分の身体に帯電した静電気を地面に放電させる為、［図８］に示した様に人体のかかとが接する（５）中敷きに（１）金属伝導体を取付けて、そこから（７）金属伝導線を（８）伝導性軸足に接続して（２）ヒール部材の下部に伝導性の有る（４）かかとゴムの（８）伝導性軸足を挿し込み取付け地面に接地、放電させる様にした。【００１０】冬季の乾燥期に自分の身体に帯電した静電気を地面に放電させる為、［図９］に示した様に人体のかかとが接する（５）中敷きと、伝導性高分子（伝導性プラスチック）又は、伝導性軽合金で成型した伝導性の有る（２）ヒール部材を（１）金属伝導体で緊結して、その（２）ヒール部材の下部に伝導性の有る（４）かかとゴムの（８）伝導性軸足を挿し込み取付け地面に接地、放電させる様にした。
【考案の効果】
【００１１】冬季の乾燥期に人体に帯電した静電気を伝導性を持たせたヒール靴を履く事に依り、たえず地面に静電気を放電させて、自分が他の物に触れた時に放電（スパーク）する恐怖心、不快感から解放される。
【図面の簡単な説明】
【００１２】
【図１】かかとゴムの正面より見た断面図である。
【図２】かかとゴムの側面より見た断面図である。
【図３】かかとゴムの底面の見上げ図である。
【図４】ヒール部材に非伝導性材料を使用した場合のローヒール靴の断面図である。
【図５】ヒール部材に伝導性材料を使用した場合のローヒール靴の断面図である。
【図６】ヒール部材に木、又は、合成ゴム、又は、皮積み成型材を使用した場合のローヒール靴の断面図である。
【図７】ヒール部材に木、又は、プラスチック、又は、非伝導性軽合金を使用した場合のハイヒール靴の断面図である。
【図８】ヒール部材にプラスチック、又は、非伝導性軽合金を使用した場合で、伝導性補強軸芯パイプを入れない場合のハイヒール靴の断面図である。
【図９】ヒール部材に伝導性材料を使用した場合のハイヒール靴の断面図である。
【符号の説明】
【００１３】（１）金属伝導体
（２）ヒール部材
（３）伝導性補強軸芯パイプ
（４）かかとゴム
（５）中敷き
（６）底板
（７）金属伝導線
（８）伝導性軸足
（９）高耐久性ゴム
（１０）伝導性ゴム
（１１）伝導性高分子（プラスチック）